(57)【要約】      （修正有）【課題】機械式メトロノームの動きや放物運動により近い表示を行う電子メトロノームの提供。【解決手段】明るさを変えた発光素子を複数点灯させ、点灯した発光素子が徐々に移動していくような複数の点灯パターンを用意し、各パターンを表示する時間を少しずつ変化させて設定することで、擬似的に点灯した発光素子の移動速度を場所によって変化させ、機械式メトロノームの動きや放物運動により近い表示を行う電子メトロノームが可能となる。【選択図】    図４
2004245777.tif 000002
【特許請求の範囲】
【請求項１】
ライン状に配置された複数の発光素子と、所定のテンポの設定を行うテンポ設定部と、前記テンポ設定部で設定されたテンポの値に応じて前記発光素子を一端から他端に向けて順次点灯させるとともに、点灯した発光素子を消灯させることにより、前記発光素子の光を用いてメトロノームのテンポのタイミングを視覚的に表現する制御部を具備する電子式メトロノームにおいて、
前記発光素子の点灯時間を発光素子の位置によって変えることで、前記光が発光素子間を擬似的に移動する時の速度を変化させることを特徴とする電子式メトロノーム。
【請求項２】
ライン状に配置された複数の発光素子と、所定のテンポの設定を行うテンポ設定部と、所定の拍子の設定を行う拍子設定部と、前記テンポ設定部で設定されたテンポの値に応じて前記発光素子を一端から他端に向けて順次点灯させるとともに、点灯した発光素子を消灯させ、発光素子の光を用いてメトロノームのテンポのタイミングを視覚的に表現する制御部を具備する電子式メトロノームにおいて、
前記発光素子の個々の点灯時間は前記拍子設定部で設定された拍子の強拍、弱拍のタイミングによって変更可能であることを特徴とする電子式メトロノーム。
【請求項３】
前記発光素子の点灯時間は、端にある発光素子ほど長い、または短いことを特徴とする請求項１記載の電子式メトロノーム。
【請求項４】
前記光の移動方向と逆側の発光素子も同時に点灯させることで、光が残像を伴って移動しているように表示することを特徴とする請求項１記載の電子式メトロノーム。
【請求項５】
前記点灯している発光素子と同時に点灯される前記光の移動方向と逆側の発光素子は、複数であり、その照度は、前記点灯している発光素子よりも低いことを特徴とする請求項４記載の電子式メトロノーム。
【請求項６】
ライン状に配置された複数の発光素子の点灯時間を発光素子の位置により変えることで、光が発光素子間を擬似的に移動する時の速度が視覚的に変化しているように表示する電子式メトロノームの表示方法。
【発明の詳細な説明】
【０００１】
【産業上の利用分野】
本発明は、楽器の練習等に利用する電子式メトロノームの表示に関するものである。
【０００２】
【従来の技術】
従来、発光ダイオードのような発光素子を使った電子式メトロノームでは、機械式メトロノームのように１拍の時間を把握しやすくするために、複数個の発光素子をライン上に配置して、一端側から多端側へ順次点灯させていき、振り子のような動きを表現する方法が広く用いられている（例えば、特許文献１参照。）。また、よりなめらかな振り子運動を擬似的に実現するために、次に点灯する発光素子を段階的に点灯し、同時に今まで点灯していた発光素子を段階的に消灯してゆくことによって、点灯位置の移動を円滑にしようとする試みが発明されている（例えば、特許文献２参照。）。
【０００３】
【特許文献１】
特開２０００−８８９７７号公報（第１−１７頁、第２図）
【０００４】
【特許文献２】
特開平９−１３３７７９号公報（第１−５頁、第３図）
【０００５】
【発明が解決しようとする課題】
しかし、従来の方式では、例えば機械式メトロノームの針先端の軌道と同じように、扇状に発光素子を配置した場合、発光素子の点灯位置の移動が等速に見えるため、点灯方式が円滑に見えるかどうかにかかわらず、機械式メトロノームなどに慣れた人が使う場合は違和感を覚えることがあった。
【０００６】
そこで本発明の目的は、機械式メトロノームの針の動きや、物理法則に基づいた針の動作など、なじみのある動きを擬似的に再現し、また強拍や弱拍によって表示の仕方を変えることによって、タイミングのとりやすさを視覚的に補助するような電子式メトロノームを提供することにある。
【０００７】
【課題を解決するための手段】
上記の目的を達成するために、本発明は、電子式メトロノームにおいて、ライン状に配置された複数の発光素子と、所定のテンポの設定を行うテンポ設定部と、前記テンポ設定部で設定されたテンポの値に応じて前記発光素子を一端から他端に向けて順次点灯させるとともに、点灯した発光素子を消灯させることにより、前記発光素子の光を用いてメトロノームのテンポのタイミングを視覚的に表現する制御部を具備し、前記発光素子の点灯時間を発光素子の位置によって変え、また同時に複数の発光素子を点灯させることで、前記光が発光素子間を擬似的に移動する動きが機械式メトロノームや放物運動の動きを再現させた。
【０００８】
さらに所定の拍子の設定を行う拍子設定部を具備している時は前記発光素子の個々の点灯時間は前記拍子設定部で設定された拍子の強拍、弱拍のタイミングによって変更可能であるように構成させた。
【０００９】
【実施例】
この発明に関わる電子式メトロノームの実施例を図に基づいて説明する。図１は本発明に関わるメトロノームの実施例の正面図である。本体ケース１には、電源スイッチ２、テンポスイッチ３、拍子スイッチ４、テンポ表示部５を配置する。電源スイッチ２の操作でメトロノームの電源をオンさせ、テンポスイッチ３、拍子スイッチ４で目的のテンポ、拍子をそれぞれ設定すると、設定された値に基づいてテンポ表示部５が点灯するなどしてテンポ、拍子を表示し、メトロノームとして機能する。図２は本発明に関わる電子式メトロノームの一実施例の構成図である。本実施例では、ユーザーが望むテンポを設定するためのテンポ設定部６、同じく拍子を設定するための拍子設定部７、設定した値からメトロノームとして機能させるための処理を行うマイコン８、そしてマイコン８からの指令を受けて設定通りの表示を行うための、発光素子などで構成された表示部９で主に構成されている。テンポ設定部１、拍子設定部２から入力された値は入力ポート８ａを介して制御部８ｂに送られ、これらの値を表示部９で反映させるための処理を行う。そして表示部９の制御を出力ポート８ｃを介して行うのである。
【００１０】
ここで、表示部９が７個の発光ダイオードで構成されているものとする。この電子式メトロノームは発光ダイオードの点灯・消灯パターンを変化させて点灯した発光ダイオードが移動してゆくように見せかけることによってメトロノームの振り子の動きを擬似的に表現し、点灯した発光ダイオードが次の拍を打つまでの時間の目安とさせている。図３は本発明の一実施例で用いる発光ダイオードの点灯パターンである。このデータでは、左から右に移動し、また左に戻る振り子の一往復分のデータをＡからＮまでの１４種類で表している。一拍分はＡから始まってＧまでで、次の一拍はＨからＮまでである。この例で示す白丸は消灯していることを示す。また、黒丸、やや薄い黒丸、薄い黒丸はそれぞれ点灯している発光ダイオードの明るさを示す。図４はこれらの点灯している発光ダイオードの明るさを示している。黒丸は点灯し続けている状態で、これを１００％とすると、やや薄い黒丸は短時間に点灯３割、消灯７割を繰り返し、黒丸の３０％というやや暗い明るさに見せかけている。同様に薄い黒丸は１０％の明るさとなっている。図３のＡからＢ、Ｃ、Ｄとパターンを順に表示してゆくと、１００％点灯状態の発光ダイオードが徐々に移動してゆくのと同時に、移動方向の反対側に暗い発光ダイオードを最大２つ点灯させ、あたかも発光ダイオードが残像を伴って移動しているかのように見せることができるのである。なお、照度のパーセンテージはこれに限るものではなく、同時に点灯させる発光素子の個数もこれに限らない。
【００１１】
次に、本発明に関わる、機械式メトロノームの動きや放物運動などを擬似的に実現する方法について、一例を説明する。図５は、一定数の中で図２で示した１４種類の発光ダイオード点灯パターンをそれぞれ何回表示するかを表したシーケンスの例を示したものである。本実施例では発光ダイオード一往復分、すなわち２拍分を４２分割して４２回の表示パターン切り換えで各発光ダイオードの光る時間を制御している。例えばシーケンス１ではＡ、Ｂなど点灯した発光ダイオードが両端にあるパターンは表示回数が多く、Ｄのような中央の発光ダイオードが点灯しているパターンの表示回数が少なく設定してある。このシーケンスを表示Ｎｏ．０から順に同じ時間ずつ表示してゆくと、両端では発光ダイオードの点灯時間が長く、中央部では短くなるため、、点灯した発光ダイオードのが両端ではゆっくり移動し、中央部では早く移動しているように見える。これは機械式のメトロノームの動きにほぼ近い動きを実現したものである。シーケンスの点灯データの数を多くするほど各発光ダイオードの点灯時間を細かく設定できるため、移動速度を自在に制御できるようになる。では実際にこうした動きを実現するための処理について説明する。
【００１２】
図６は本発明に基づく一実施例の電子メトロノームの、メインルーチンに関するフローチャートである。図７は本発明の請求項１を実現するための、タイマ割り込み処理ルーチンのフローチャートである。また図８は本発明の請求項２を実現するための、タイマ割り込み処理ルーチンのフローチャートである。なお、これらの処理はマイコン８の制御部８ａにて行われる。
【００１３】
まず、電源がＯＮされると、各データを初期化（Ｓ１０２）した後、図２のテンポ設定部６、拍子設定部７からそれぞれテンポと拍子の値を読み込む（Ｓ１０３）。次に、設定テンポの値を図５の１シーケンスのデータ数の半分で割る。すなわち、発光ダイオードが一端から他端へ移動する一拍の間に、シーケンスの各表示パターンを表示する時間を求めるのである。この値をタイマＴに入れる。また、設定拍子数の値をＨ＿ＣＯＵＮＴに入れる。そしてタイマＴをスタートさせる（Ｓ１０４）。タイマＴは次のループ内で割り込みを行うためのタイマである。
【００１４】
これらの処理を終えた後、発光ダイオード表示とテンポ設定部６、拍子設定部７の変化を定期的に確認するループに入る。まず、パターンの表示Ｎｏ．の値が入ったＮの数値から点灯パターンを読み出し、表示部９を点灯させる（Ｓ１０５）。次に設定テンポに変化があった場合は先程と同様にタイマＴの値を更新し（Ｓ１０８）、設定拍子に変化があった場合は同様にＨ＿ＣＯＵＮＴの更新を行う（Ｓ１０９）。これらを繰り返し続けるのである。このループの間、タイマＴは動作し続け、先程求めた点灯パターンの表示時間Ｔが経過することにより割り込みがかかるのである。
【００１５】
そして、設定したタイマＴによる割り込みがかかった時の、表示シーケンス固定の場合について図７を用いて説明する。割り込みがかかると、点灯パターンを更新する必要があるため、ループ内で点灯パターンを読み込む際に用いるＮの値を１加算し（Ｓ２０１）、次の表示Ｎｏ．の点灯パターンに切り替える。この時Ｎの値が表示Ｎｏ．の最大数（図５のＬＥＦＴの値）を超えた場合（Ｓ２０２）は、０に戻して最初のパターンに切り替える（Ｓ２０３）。こうして固定されたシーケンスの流れを設定どおり繰り返し続け、希望の動作を行わせることができる。
【００１６】
次に、強拍と弱拍で動作を変更する場合について図８を用いて説明する。タイマの割り込みが掛かると図７の時と同様にＮの値を１加算する（Ｓ３０１）。端の発光ダイオードが点灯しているパターンの時、すなわちＮの値がＲＩＧＨＴの時（Ｓ３０２）、ＬＥＦＴの時（Ｓ３０７）は１テンポ刻んだことを示すため、Ｈ＿ＣＯＵＮＴを１減らす。この時、ＬＥＦＴの時は先程同様にＮの値を０にする（Ｓ３０８）。もしＨ＿ＣＯＵＮＴが０となった場合（Ｓ３０４）は次に強拍であることを示すためにＫ＿ＦＬＧを１にする。そしてＨ＿ＣＯＵＮＴにあらためて設定拍子の値を入れる（Ｓ３０５）。もしＨ＿ＣＯＵＮＴが０でないときは、次も弱拍であるため、Ｋ＿ＦＬＧを０にする（Ｓ３０９）。そして再度ループに戻る。
【００１７】
中央の発光ダイオードが点灯しているパターンの時の場合、すなわち加算されたＮの値が図５のＣＥＮＴＥＲ１、ＣＥＮＴＥＲ２の時は、Ｋ＿ＦＬＧを確認する（Ｓ３１１）。もしＫ＿ＦＬＧが１の時は次に強拍であるため、表示パターンをシーケンス２に設定する（Ｓ３１２）。またＫ＿ＦＬＧが０の時は次に弱拍であるため、表示パターンをシーケンス２に設定する（Ｓ３１５）。この処理を行うことで、並んだ発光素子の中央から次が強拍か弱拍かで点灯パターンを変更することができるので、点灯した発光素子の移動の仕方を変えることができるのである。
【００１８】
【発明の効果】
以上説明したように本発明は、電子式メトロノームの複数の発光素子の点灯時間を少しずつ変化させ、また明るさの違う複数の発光素子を同時に効果的に点灯させることで、機械式メトロノームの動きや放物運動に近い表示をさせ、さらに強拍・弱拍によって発光素子の点灯パターンによる擬似的な放物運動を変えることで、次の拍までのテンポが視覚的にとりやすい表示を行うことを可能にした。
【図面の簡単な説明】
【図１】本発明の一実施例である電子式メトロノームの外観図である。
【図２】本発明の一実施例である電子式メトロノームのブロック図である。
【図３】本発明の一実施例である電子式メトロノームの、発光素子の点灯パターン図である。
【図４】図３の点灯パターンの、照度を示すための図である。
【図５】図３の点灯パターンを表示する時間を示すための図である。
【図６】メインルーチンを示すためのフローチャートである。
【図７】請求項１の割り込みルーチンを示すためのフローチャートである。
【図８】請求項２の割り込みルーチンを示すためのフローチャートである。
【符号の説明】
１  本体ケース
２  電源スイッチ
３  テンポスイッチ
４  拍子スイッチ
５  テンポ表示部
６  テンポ設定部
７  拍子設定部
８  マイコン
８ａ  入力ポート
８ｂ  制御部
８ｃ  出力ポート
９  表示部
【図１】
2004245777.tif 000003
【図２】
2004245777.tif 000004
【図３】
2004245777.tif 000005
【図４】
2004245777.tif 000006
【図５】
2004245777.tif 000007
【図６】
2004245777.tif 000008
【図７】
2004245777.tif 000009
【図８】
2004245777.tif 000010